(57)【要約】      （修正有）【課題】頂部の外周で互いに固定されている２個のカップから成り、かつ２個のカップの向かい合う側面を互いに固定する部材を備えている食器容器を提供する。【解決手段】２個のカップ３、４は平面視でほぼ円形であり、かつ前記２個のカップの頂部外周７、８の向かい合う弧を互いに固定する、２枚のプレート状の固定部材１１、１２をさらに備えている食品容器２。発泡樹脂製で、かつ２個のカップの少なくとも一方に麺類を収容するように構成されている食品容器を、片手で２個のカップの食品容器を安定して保持できる。【選択図】図２
2020066440.tif 000002
【特許請求の範囲】
【請求項１】
頂部の外周で互いに固定されている２個のカップから成る食品容器において、
前記２個のカップの向かい合う側面を互いに固定するプレート状の固定部材を有することを特徴とする食品容器。
【請求項２】
前記２個のカップは平面視でほぼ円形であり、かつ前記２個のカップの頂部外周の向かい合う弧を互いに固定する、２枚のプレート状の固定部材をさらに備えていることを特徴とする、請求項１の食品容器。
【請求項３】
発泡樹脂製で、かつ２個のカップの少なくとも一方に麺類を収容するように構成されていることを特徴とする、請求項２の食品容器。  
【請求項４】
前記２個のカップを分離できるように、前記向かい合う側面を互いに固定するプレート状の固定部材、及び前記２枚のプレート状の固定部材に、切取線が設けられていることを特徴とする、請求項２の食品容器。
【請求項５】
前記２枚のプレート状の固定部材の少なくとも一方に、食器係止用の孔が設けられていることを特徴とする、請求項２の食品容器。  
【発明の詳細な説明】
【技術分野】
【０００１】
この発明は、２個のカップを片手で保持できる食品容器に関する。
【背景技術】
【０００２】
お湯を入れたカップ麺の容器を２個テーブルまで運ぶと、両手が塞がってしまう。また飲物の入ったコップとフライドポテトの入ったコップを買って運ぶと、やはり両手が塞がってしまう。運ぶ途中にドアなどがあると大変である。トレイを使うと片手で２個の容器を運べるが、トレイの返却が面倒で、ベンチで食べる場合、トレイの置き場所がない。
【０００３】
関連する先行技術を示す。豆腐などを２個１パックにしたものが売られている。例えば特許3324951は、角状の２個の豆腐カップを一体にした多連容器を記載している。しかしこの容器で、一方のカップを持っても、他方のカップは姿勢が安定しない。従って、麺類などを蓋が開いた状態で運ぶには適していない。
【先行技術文献】
【特許文献】
【０００４】
【特許文献１】特許3324951
【発明の概要】
【発明が解決しようとする課題】
【０００５】
この発明の課題は、片手で２個のカップを安定して保持できる食品容器を提供することにある。
【課題を解決するための手段】
【０００６】
この発明は、頂部の外周で互いに固定されている２個のカップから成る食品容器において、前記２個のカップの向かい合う側面を互いに固定するプレート状の固定部材を有することを特徴とする。
【０００７】
この発明では、２個のカップの向かい合う側面を、プレート状の固定部材により互いに固定する。これにより２個のカップの運動が制限され、カップが角状で頂部の１辺が互いに固定されているなどの条件が加わると、片手で一方のカップを持てば、他方のカップも姿勢が安定する。従って液体の入ったカップを２個同時に片手で運ぶことができる。
【０００８】
好ましくは、前記２個のカップは平面視でほぼ円形であり、かつ前記２個のカップの頂部外周の向かい合う弧を互いに固定する、２枚のプレート状の固定部材をさらに備えている。なおこの発明では正確な円であるかどうかは重要ではなく、ほぼ円形であればよい。２個のカップの向かい合う側面を固定部材で互いに固定すると共に、ほぼ円形のカップの頂部外周の向かい合う弧を互いに固定すると、カップは互いにしっかりと固定される。従って、カップにラーメンとお湯等を入れ、一方のカップを持つと、他方のカップも姿勢が安定し、液体が溢れない。この結果、片手で２個のカップを運ぶことができる。
【０００９】
特に好ましくは、食品容器は発泡樹脂製で、かつ２個のカップの少なくとも一方に麺類を収容するように構成されている。発泡樹脂製のカップは保温性があり、麺類を入れるのに適している。平面視で円形のカップは麺類の容器として慣れ親しんだものである。
【００１０】
また好ましくは、２個のカップを分離できるように、向かい合う側面を互いに固定するプレート状の固定部材、及び前記２枚のプレート状の固定部材に、切取線が設けられている。切取線により２個のカップを分離し、カップ１個ずつ２人で食べるなどの使い方ができる。
【００１１】
また好ましくは、前記２枚のプレート状の固定部材の少なくとも一方に、割箸、スプーン、フォークなどの食器を係止するための孔が設けられている。これらの食器を食品容器と一緒に運ぶことができる。特に好ましくは、２個のカップの間に隙間を設け、この隙間に孔を一対設ける。
【図面の簡単な説明】
【００１２】
【図１】実施例の食品容器の平面図
【図２】実施例の食品容器の側面図
【図３】変形例の食品容器の側面図
【図４】第２の変形例の食品容器の平面図
【図５】第２の変形例の食品容器の側面図
【図６】最適実施例の食品容器の平面図
【図７】最適実施例の食品容器の底面図
【発明を実施するための形態】
【００１３】
以下に本発明を実施するための最適実施例を示す。
【実施例】
【００１４】
図１〜図３に実施例とその変形を示す。図１，図２の食品容器２は、２個のカップ３，４を備えている。カップ３，４はほぼ円錐台状で、例えば円形の頂部と例えば円形の底面５，６を備え、カップ３，４の頂部外周７，８は例えば円形である。カップ３，４は、インスタント麺等の食品、あるいはコーラ、コーヒ等の飲み物を収容し、ポテトチップス、フライドチキン、サラダ、お握りなどを収容しても良い。
【００１５】
カップ３，４の頂部外周７，８は互いに接触し、円周方向に沿って接触部Ｄの両側に向かい合う円弧Ｅ，Ｅ，Ｅ'，Ｅ'が生じる。向かい合う円弧Ｅ，Ｅをプレート状の固定部材１０により互いに固定し、円弧Ｅ'，Ｅ'をプレート状の固定部材１１により互いに固定する。固定部材１０，１１は、例えば頂部外周７，８と同じ面上に有る。接触部Ｄの下方では、カップ３，４の側面が対向部Ｆ，Ｆで互いに向かい合う。対向部Ｆ，Ｆを互いに固定するように、プレート状の固定部材１２を対向部Ｆ，Ｆ間に設ける。図２では固定部材１２はカップ３，４の頂部から下向きに伸びるが、頂部からではなく、カップ３，４の高さ方向の中間から下向きに伸びても良い。
【００１６】
固定部材１０，１１，１２により、２個のカップ３，４が互いに固定される。固定部材１０，１１を設けると、カップ３，４間の相対運動は図１の軸Ｂ−Ｂを固定する運動、即ち軸Ｂ−Ｂ回りの運動に限られる。また固定部材１２を設けると、運動は図２の軸Ｃ−Ｃを固定する運動に限られる。軸Ｂ−Ｂと軸Ｃ−Ｃを共に固定すると、カップ３，４間の運動は不可能になり、カップ３，４の一方を持てば、他方のカップの姿勢も安定する。
【００１７】
１３、１４は切取線でミシン目などからなり、カップ３，４を分離するためのものである。切取線１３，１４の位置は任意で、切取線１３，１４を設けなくても良い。１５はカップ３，４の底部の台で、設けなくても良い。食品容器２の材質は断熱性の点から発泡ポリスチレン等の発泡樹脂が好ましく、食品容器２は型を用いて成型できる。また切取線１３，１４は機械加工などで設ける。
【００１８】
食品容器２の使用について説明する。カップ３，４に同種あるいは異種のインスタント麺等を収容し、図示しない蓋でシールする。店頭でお湯を注ぐと、カップ３，４の片方を持てば他方も姿勢が安定するので、２個のカップ３，４を片手で持って店外あるいは店内へ運ぶことができる。途中にドアや階段などがあっても、片手を自由に使えるので便利である。そしてカップ３，４の姿勢が安定しているので、スープが溢れたりはしない。食品容器２を運ぶと、例えば２人で分ける、１人で２種類の麺を食べるなどに利用する。
【００１９】
２個の麺類に限らず、麺類とお握りあるいはおかずなどの組み合わせ、コーラ、ジュース、コーヒーなどと、フライドポテト、フライドチキン、サラダなどの組み合わせ、ホットドッグとスープなどの組み合わせなどでも良い。使い方は任意であるが、液体を運ぶ、保温性を活かすなどの使いかたが好ましい。
【００２０】
図３はお椀状ないしは丼状のカップ２３，２４を用いた食品容器２２を示し、平面視の構造は図１の食品容器２と同様である。固定部材１０，１１によりカップ２３，２４の頂部を互いに固定し、切取線１３を設ける。またカップ２３，２４の対向する側面にプレート状の固定部材３２を設けると共に、切取線１４を設ける。これらの点以外は図１，図２の実施例と同様で、うどん、蕎麦、みそ汁、豚汁、スープスパゲティなどを収容するのに適している。
【００２１】
この発明で最も重要な要素は固定部材１２，３２で、固定部材１０，１１は無くても良い場合がある。図４，図５はこのような変形例の食品容器４２を示す。４３，４４は角筒状のカップで、４５，４６はそれらの底面、４７，４８はカップ４３，４４の頂面である。カップ４３，４４は頂部の１辺５０で互いに固定してあるので、カップ４３，４４の対向する側面を固定部材５２により互いに固定する。そして切取線１３，１４により、カップ４３，４４が分離できるようにしてある。  
【００２２】
頂部の１辺５０でカップ４３，４４が互いに固定されているため、カップ４３，４４間の運動は図４の軸Ｂ−Ｂを固定するものに限られる。またカップ４３，４４の側面が固定部材５２により互いに固定されているため、運動は図５の軸Ｃ−Ｃを固定するものに限られる。軸Ｂ−Ｂと軸Ｃ−Ｃを共に固定する運動は存在せず、カップ４３，４４のいずれかを固定すると、他方も固定される。従って片手でカップ４３，４４の一方を持ち、内部の液体を溢さずに運ぶことができる。
【００２３】
図６，図７に最適実施例の食品容器６２を示し、特に指摘する点以外は図１〜図３の実施例及び変形例と同様である。特にカップ３，４は図３のように半球状でも良い。カップ３，４の頂部外周７，８間に隙間があり、この隙間に例えば一対の孔６６，６６が設けられている。割り箸は先端に比べ基端の幅が広く、孔６６は割り箸の基端が通れない大きさが好ましい。また孔６６の周囲の樹脂と割り箸との摩擦力により、割り箸が孔６６を通って落ちないようにしても良い。１０'，１１'は２枚の固定部材、６５は隙間６６，６６間でカップ３，４を接続する部材で、これらは発泡樹脂製である。
【００２４】
孔６６，６６は割り箸、フォーク、スプーン等の食器を係止でき、食品容器６２にこれらの食器を係止して運ぶことができる。なお孔６６の個数は任意で、カップ３，４間の隙間以外の個所で、固定部材１０'、１１'に孔６６を設けても良い。
【符号の説明】
【００２５】
２                食品容器
３，４            カップ
５，６            底面
７，８            頂部外周
１０，１１，１２  固定部材
１３，１４        切取線
１５              台
Ｂ，Ｃ            軸  
Ｄ                接触部
Ｅ，Ｅ'           円弧
Ｆ，Ｆ            対向部
【図１】
2020066440.tif 000003
【図２】
2020066440.tif 000004
【図３】
2020066440.tif 000005
【図４】
2020066440.tif 000006
【図５】
2020066440.tif 000007
【図６】
2020066440.tif 000008
【図７】
2020066440.tif 000009
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
頂部の外周で互いに固定され、かつ平面視で実質的に円形である２個のカップから成る食品容器において、
前記２個のカップの向かい合う側面を互いに固定するプレート状の固定部材と、
前記２個のカップの頂部外周の向かい合う弧を互いに固定する、２枚のプレート状の固定部材とを、有することを特徴とする食品容器。
【請求項２】
発泡樹脂製で、かつ２個のカップの少なくとも一方に麺類を収容するように構成されていることを特徴とする、請求項１の食品容器。  
【請求項３】
前記２個のカップを分離できるように、前記向かい合う側面を互いに固定するプレート状の固定部材、及び前記２枚のプレート状の固定部材に、切取線が設けられていることを特徴とする、請求項１または２の食品容器。
【請求項４】
前記２枚のプレート状の固定部材の少なくとも一方に、食器係止用の孔が設けられていることを特徴とする、請求項１〜３の何れかの食品容器。  
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
頂部の外周で互いに固定され、かつ平面視でほぼ円形である２個のカップから成る食品容器において、
前記２個のカップの向かい合う側面を互いに固定するプレート状の固定部材と、
前記２個のカップの頂部外周の向かい合う弧を互いに固定する、２枚のプレート状の固定部材とを、有することを特徴とする食品容器。
【請求項２】
発泡樹脂製で、かつ２個のカップの少なくとも一方に麺類を収容するように構成されていることを特徴とする、請求項１の食品容器。  
【請求項３】
前記２個のカップを分離できるように、前記向かい合う側面を互いに固定するプレート状の固定部材、及び前記２枚のプレート状の固定部材に、切取線が設けられていることを特徴とする、請求項１または２の食品容器。
【請求項４】
前記２枚のプレート状の固定部材の少なくとも一方に、食器係止用の孔が設けられていることを特徴とする、請求項１〜３の何れかの食品容器。